【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
被写体を撮像して画像信号を生成する撮像装置において、
被写体光を受光して表示用画像信号を繰り返し生成するとともに撮影指示を受けて記録用画像信号を生成する撮像部と、
外光の輝度を検出して、外光輝度が所定輝度以上であるかを判定する外光輝度判定部と、
上記撮像部により生成された表示用画像信号に対してガンマカーブを用いて第２の表示用画像信号を生成する表示制御部と、
上記表示制御部の出力する第２の表示用画像信号に基づきライブビュー画像を表示する表示部と、
上記表示用画像信号に基づいて、上記表示用画像が所定の明度以下であるかを判別する画像明度判定部と、
を有し、
上記表示制御部は、上記外光輝度判定部により外光輝度が上記所定輝度以上と判定され、かつ上記画像明度判定部により上記表示用画像が所定明度以下と判定された場合は、上記撮像部により生成された表示用画像信号に対して上記ガンマカーブをオフセットして第２の表示用画像を生成することを特徴とする撮像装置。
【請求項２】
上記画像明度判定部は、上記表示用画像を構成する画素信号の輝度分布のヒストグラムにて所定輝度以下が所定数を越える場合に、所定明度以下と判定することを特徴とする請求項１に記載の撮像装置。
【請求項３】
上記画像明度判定部は、上記表示用画像を構成する画素信号の輝度分布の平均値が、所定輝度以下である場合に、所定明度以下であると判定することを特徴とする請求項１に記載の撮像装置。
【請求項４】
上記撮像部の出力する画像信号から顔を検出して顔領域を決定する顔検出部を有し、
上記画像明度判定部は、上記表示用画像のうち上記顔検出部により検出された顔領域を構成する画素信号の輝度分布のヒストグラムにて所定輝度以下が所定数を越える場合に、所定明度以下と判定することを特徴とする請求項１に記載の撮像装置。
【請求項５】
上記撮像部の出力する画像信号に基づいてフォーカス領域を設定し、ＡＦ動作を行うＡＦ部を有し、
上記画像明度判定部は、上記表示用画像のうち上記ＡＦ部により設定されたフォーカス領域を構成する画素信号の輝度分布のヒストグラムにて所定輝度以下が所定数を越える場合に、所定明度以下と判定することを特徴とする請求項１に記載の撮像装置。
【請求項６】
上記表示部は、バックライト部を有し、
上記制御部が上記撮像部により生成された表示用画像信号に対して上記ガンマカーブをオフセットして第２の表示用画像を作成する場合に、上記表示制御部は上記バックライト部に供給する電力を低減させることを特徴とする請求項１に記載の撮像装置。
【請求項７】
被写体を撮像して画像信号を生成する撮像装置において、
被写体光を受光して表示用画像信号を繰り返し生成するとともに撮影指示を受けて記録用画像信号を生成する撮像部と、
上記撮像部により生成された表示用画像信号に対してガンマカーブを用いて第２の表示用画像信号を作成する表示制御部と、
上記表示制御部の出力する第２の表示用画像信号に基づきライブビュー画像を表示する表示部と、
を有し、
上記表示制御部は、上記表示部の消費電流が所定値以上と判定された場合は、上記撮像部により生成された表示用画像信号に対して上記ガンマカーブをオフセットして第２の表示用画像を作成することを特徴とする撮像装置。
【請求項８】
記録画像信号を再生表示する画像再生装置において、
上記画像信号を記録している記録部と、
外光の輝度を検出して、外光輝度が所定輝度以上であるかを判定する外光輝度判定部と、
上記記録部の出力する表示用画像信号に対してガンマカーブを用いて第２の表示用画像信号を作成する表示制御部と、
上記表示制御部の出力する第２の表示用画像信号に基づき再生画像を表示する表示部と、
上記表示用画像信号に基づいて、上記表示用画像が所定の明度以下であるかを判別する画像明度判定部と、
を備え、
上記表示制御部は、上記外光輝度判定部により外光輝度が上記所定輝度以上と判定され、かつ上記画像明度判定部により上記表示用画像が所定明度以下と判定された場合は、上記記録部の出力する表示用画像信号に対して上記ガンマカーブをオフセットして第２の表示用画像を作成することを特徴とする画像再生装置。
【請求項９】
上記画像明度判定部は、上記表示用画像を構成する画素信号の輝度分布のヒストグラムにて所定輝度以下が所定数を越える場合に、所定明度以下と判定することを特徴とする請求項８に記載の画像再生装置。
【請求項１０】
上記画像明度判定部は、上記表示用画像を構成する画素信号の輝度分布の平均値が、所定輝度以下である場合に、所定明度以下と判定することを特徴とする請求項８に記載の画像再生装置。
【請求項１１】
上記記録部の出力する画像信号により撮影時に顔が検出され顔領域を決定されたことを判定する顔判定記録部を有し、
上記画像明度判定部は、上記表示用画像のうち上記顔判定記録部により判定された顔領域を構成する画素信号の輝度分布のヒストグラムにて所定輝度以下が所定数を越える場合に、所定明度以下と判定することを特徴とする請求項８に記載の画像再生装置。
【請求項１２】
上記記録部の出力する画像信号に基づいて撮影時に設定されたフォーカス領域を判定するフォーカス領域記録部を有し、
上記画像明度判定部は、上記表示用画像のうち上記フォーカス記録部により判定されたフォーカス領域を構成する画素信号の輝度分布のヒストグラムにて所定輝度以下が所定数を越える場合に、所定明度以下と判定することを特徴とする請求項８に記載の画像再生装置。
【請求項１３】
上記表示部は、バックライト部を有し、
上記制御部が、上記記録部より出力される表示用画像信号に対して上記ガンマカーブをオフセットして第２の表示用画像を作成する場合に、上記表示制御部は上記バックライト部に供給する電力を低減させることを特徴とする請求項８に記載の画像再生装置。
【請求項１４】
記録画像信号を再生表示する画像再生装置において、
上記画像信号を記録している記録部と、
上記記録部の出力する表示用画像信号に対してガンマカーブを用いて第２の表示用画像信号を作成する表示制御部と、
上記表示制御部の出力する第２の表示用画像信号に基づき再生画像を表示する表示部と、
を有し、
上記表示制御部は、上記表示部の消費電流が所定値以上と判定された場合は、上記記録部により出力された表示用画像信号に対して上記ガンマカーブをオフセットして第２の表示用画像を作成することを特徴とする画像再生装置。
【手続補正２】
【補正対象書類名】明細書
【補正対象項目名】０００７
【補正方法】変更
【補正の内容】
【０００７】
上記目的を達成するため第１の発明に係わる撮像装置は、被写体を撮像して画像信号を生成する撮像装置であって、被写体光を受光して表示用画像信号を繰り返し生成するとともに撮影指示を受けて記録用画像信号を生成する撮像部と、外光の輝度を検出して、外光輝度が所定輝度以上であるかを判定する外光輝度判定部と、上記撮像部により生成された表示用画像信号に対してガンマカーブを用いて第２の表示用画像信号を生成する表示制御部と、上記表示制御部の出力する第２の表示用画像信号に基づきライブビュー画像を表示する表示部と、上記表示用画像信号に基づいて、上記表示用画像が所定の明度以下であるかを判別する画像明度判定部と、を有し、上記表示制御部は、上記外光輝度判定部により外光輝度が上記所定輝度以上と判定され、かつ上記画像明度判定部により上記表示用画像が所定明度以下と判定された場合は、上記撮像部により生成された表示用画像信号に対して上記ガンマカーブをオフセットして第２の表示用画像を生成する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
第２の発明に係わる撮像装置は、上記第１の発明において、上記画像明度判定部は、上記表示用画像を構成する画素信号の輝度分布のヒストグラムにて所定輝度以下が所定数を越える場合に、所定明度以下と判定する。
第３の発明に係わる撮像装置は、上記第１の発明において、上記画像明度判定部は、上記表示用画像を構成する画素信号の輝度分布の平均値が、所定輝度以下である場合に、所定明度以下であると判定する。
【手続補正５】
【補正対象書類名】明細書
【補正対象項目名】００１０
【補正方法】変更
【補正の内容】
【００１０】
第４の発明に係わる撮像装置は、上記第１の発明において、上記撮像部の出力する画像信号から顔を検出して顔領域を決定する顔検出部を有し、上記画像明度判定部は、上記表示用画像のうち上記顔検出部により検出された顔領域を構成する画素信号の輝度分布のヒストグラムにて所定輝度以下が所定数を越える場合に、所定明度以下と判定する。
【手続補正６】
【補正対象書類名】明細書
【補正対象項目名】００１１
【補正方法】変更
【補正の内容】
【００１１】
第５の発明に係わる撮像装置は、上記第１の発明において、上記撮像部の出力する画像信号に基づいてフォーカス領域を設定し、ＡＦ動作を行うＡＦ部を有し、上記画像明度判定部は、上記表示用画像のうち上記ＡＦ部により設定されたフォーカス領域を構成する画素信号の輝度分布のヒストグラムにて所定輝度以下が所定数を越える場合に、所定明度以下と判定する。
【手続補正７】
【補正対象書類名】明細書
【補正対象項目名】００１２
【補正方法】変更
【補正の内容】
【００１２】
第６の発明に係わる撮像装置は、上記第１の発明において、上記表示部は、バックライト部を有し、上記制御部が上記撮像部により生成された表示用画像信号に対して上記ガンマカーブをオフセットして第２の表示用画像を作成する場合に、上記表示制御部は上記バックライト部に供給する電力を低減させる。
【手続補正８】
【補正対象書類名】明細書
【補正対象項目名】００１３
【補正方法】変更
【補正の内容】
【００１３】
第７の発明に係わる撮像装置は、被写体を撮像して画像信号を生成する撮像装置であって、被写体光を受光して表示用画像信号を繰り返し生成するとともに撮影指示を受けて記録用画像信号を生成する撮像部と、上記撮像部により生成された表示用画像信号に対してガンマカーブを用いて第２の表示用画像信号を作成する表示制御部と、上記表示制御部の出力する第２の表示用画像信号に基づきライブビュー画像を表示する表示部と、を有し、上記表示制御部は、上記表示部の消費電流が所定値以上と判定された場合は、上記撮像部により生成された表示用画像信号に対して上記ガンマカーブをオフセットして第２の表示用画像を作成する。
【手続補正９】
【補正対象書類名】明細書
【補正対象項目名】００１４
【補正方法】変更
【補正の内容】
【００１４】
第８の発明に係わる画像再生装置は、記録画像信号を再生表示する画像再生装置において、上記画像信号を記録している記録部と、外光の輝度を検出して、外光輝度が所定輝度以上であるかを判定する外光輝度判定部と、上記記録部の出力する表示用画像信号に対してガンマカーブを用いて第２の表示用画像信号を作成する表示制御部と、上記表示制御部の出力する第２の表示用画像信号に基づき再生画像を表示する表示部と、上記表示用画像信号に基づいて、上記表示用画像が所定の明度以下であるかを判別する画像明度判定部と、を備え、上記表示制御部は、上記外光輝度判定部により外光輝度が上記所定輝度以上と判定され、かつ上記画像明度判定部により上記表示用画像が所定明度以下と判定された場合は、上記記録部の出力する表示用画像信号に対して上記ガンマカーブをオフセットして第２の表示用画像を作成する。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
第９の発明に係わる画像再生装置は、上記第８の発明において、上記画像明度判定部は、上記表示用画像を構成する画素信号の輝度分布のヒストグラムにて所定輝度以下が所定数を越える場合に、所定明度以下と判定する。
第１０の発明に係わる画像再生装置は、上記第８の発明において、上記画像明度判定部は、上記表示用画像を構成する画素信号の輝度分布の平均値が、所定輝度以下である場合に、所定明度以下と判定する。
【手続補正１２】
【補正対象書類名】明細書
【補正対象項目名】００１７
【補正方法】変更
【補正の内容】
【００１７】
第１１の発明に係わる画像再生装置は、上記第８の発明において、上記記録部の出力する画像信号により撮影時に顔が検出され顔領域を決定されたことを判定する顔判定記録部を有し、上記画像明度判定部は、上記表示用画像のうち上記顔判定記録部により判定された顔領域を構成する画素信号の輝度分布のヒストグラムにて所定輝度以下が所定数を越える場合に、所定明度以下と判定する。
【手続補正１３】
【補正対象書類名】明細書
【補正対象項目名】００１８
【補正方法】変更
【補正の内容】
【００１８】
第１２の発明に係わる画像再生装置は、上記第８の発明において、上記記録部の出力する画像信号に基づいて撮影時に設定されたフォーカス領域を判定するフォーカス領域記録部を有し、上記画像明度判定部は、上記表示用画像のうち上記フォーカス記録部により判定されたフォーカス領域を構成する画素信号の輝度分布のヒストグラムにて所定輝度以下が所定数を越える場合に、所定明度以下と判定する。
【手続補正１４】
【補正対象書類名】明細書
【補正対象項目名】００１９
【補正方法】変更
【補正の内容】
【００１９】
第１３の発明に係わる画像再生装置は、上記第８の発明において、上記表示部は、バックライト部を有し、上記制御部が、上記記録部より出力される表示用画像信号に対して上記ガンマカーブをオフセットして第２の表示用画像を作成する場合に、上記表示制御部は上記バックライト部に供給する電力を低減させる。
【手続補正１５】
【補正対象書類名】明細書
【補正対象項目名】００２０
【補正方法】変更
【補正の内容】
【００２０】
第１４の発明に係わる画像再生装置は、記録画像信号を再生表示する画像再生装置において、上記画像信号を記録している記録部と、上記記録部の出力する表示用画像信号に対してガンマカーブを用いて第２の表示用画像信号を作成する表示制御部と、上記表示制御部の出力する第２の表示用画像信号に基づき再生画像を表示する表示部と、を有し、上記表示制御部は、上記表示部の消費電流が所定値以上と判定された場合は、上記記録部により出力された表示用画像信号に対して上記ガンマカーブをオフセットして第２の表示用画像を作成する。
【手続補正１６】
【補正対象書類名】明細書
【補正対象項目名】００８５
【補正方法】変更
【補正の内容】
【００８５】
このように、本発明の第２実施形態においては、表示用画像を構成する画素信号の輝度分布のヒストグラムにおいて、所定輝度以下の画素が所定数を越える場合に所定以下の明度と判定している。このため、各画素の輝度分布に応じて正確な判定を行うことができ、高輝度時に画像表示部の視認性をさらに向上させることができる。
【手続補正１７】
【補正対象書類名】明細書
【補正対象項目名】０１１６
【補正方法】変更
【補正の内容】
【０１１６】
以上、説明したように、本発明の第４実施形態においては、表示用画像のうち顔検出部１７により検出された顔領域を構成する画素信号の輝度分布のヒストグラムにて所定輝度以下が所定数を越える場合に、所定明度以下と判定し、この場合には、ガンマカーブをオフセットし、このオフセットしたガンマカーブを用いて画像信号のガンマ補正を行っている。このため、顔認識エリアに対して正確な判定を行うことができ、高輝度時に画像表示部の視認性をさらに向上させることができる。一般に、人物が主要被写体となることが多く、本実施形態によれば、人物の顔の部分を観察することが容易となる。
【手続補正１８】
【補正対象書類名】明細書
【補正対象項目名】０１３２
【補正方法】変更
【補正の内容】
【０１３２】
以上、説明したように、本発明の第５実施形態においては、表示用画像のうちＡＦ部３により設定されたフォーカス領域を構成する画素信号の輝度分布のヒストグラムにて所定輝度以下が所定数を越える場合に、所定明度以下と判定する。この場合には、オフセット有りのガンマカーブを用いて画像信号のガンマ補正を行っている。このため、フォーカスエリアに対して正確な判定を行うことができ、高輝度時に画像表示部の視認性をさらに向上させることができる。一般に、フォーカスエリアとされたエリアに主要被写体がある場合が多く、本実施形態によれば、主要被写体の部分を観察することが容易となる。